(57)【要約】【課題】遊技機の前面に静電容量式タッチセンサのタッチセンサ操作部を設けた場合に、センサ本体の誤検出を防止できる遊技機を提供する。【解決手段】遊技機の前面に設けられ、遊技者が接触可能なタッチセンサ操作部５１１と、このタッチセンサ操作部５１１に接続されたセンサ本体５１２とを有する静電容量式タッチセンサ５１０を備え、タッチセンサ操作部５１１の周囲が絶縁部５１５で囲繞されているので、この絶縁部５１５によってタッチセンサ操作部５１１に周囲から予期しない電気が流れるのを阻止できるとともに、遊技者の手からタッチセンサ操作部５１１を介して過量の静電気がセンサ本体５１２に流れるのを防止できる。したがって、センサ本体５１２の誤検出を防止できる。【選択図】図４１
2016106845.tif 000002
【特許請求の範囲】
【請求項１】
遊技機の前面に設けられ、遊技者が接触可能なタッチセンサ操作部と、このタッチセンサ操作部に接続されたセンサ本体とを有する静電容量式タッチセンサを備えた遊技機であって、
前記タッチセンサ操作部の周囲が絶縁部で囲繞されていることを特徴とする遊技機。
【発明の詳細な説明】
【技術分野】
【０００１】
本発明は、遊技盤の静電容量式のタッチセンサを備えた遊技機に関する。
【背景技術】
【０００２】
静電容量式のタッチセンサを備えた遊技機の一例として特許文献１に記載の遊技機が知られている。
この遊技機では、パチンコの玉発射ハンドルに、表面に金属メッキ層が形成されたタッチリングが設けられ、このタッチリングはハンドル内部の静電容量式のタッチセンサに電気的に接続されている。また、玉発射ハンドルの回転操作体は、タッチリングより緩やかに電気を逃がすことのできる静電気拡散性を有する材料で構成されるとともに、電気的に接地されており、回転操作体とタッチリングとの間には絶縁リングが介在している。
【０００３】
したがって、このような遊技機においては、静電気を帯びた遊技者が玉発射ハンドルに触れる際に、先ず初めに回転操作体に触れるが、この回転操作体は電気的に接地されている、すなわちアースされている。このため、遊技者に帯電している静電気は回転操作体を介して逃されるため、その後、遊技者がタッチリングに触れる際に遊技者の手とタッチリングとの間に静電気放電が起きてしまうという事態を抑止することができる。
一方、遊技者の操作を認識するタッチセンサは、タッチリングと電気的に接続されており、タッチリングと回転操作体の間に絶縁リングが設けられているので、遊技者に帯電している静電気がタッチリングおよびタッチセンサに適量だけ伝わり、タッチセンサが静電気によって破損することを防止できる。
【０００４】
ところで、近年のパチンコやスロットマシン等の遊技機においては、液晶表示部に表示される種々の演出に連動して可動する可動役物が設けられているが、さらに、遊技機の前面に設けられた装飾部材に対し、遊技者が手によって接触することを液晶表示部によって促すことによって、さらに演出効果を高めることが考えられる。例えば、液晶表示部に促されて、装飾部材に遊技者が手で触れることで、装飾部材に組み込んだ振動モータ等の振動部材を振動させ、遊技者にこの振動を伝達することで振動演出を行うとともに、遊技者に有利な遊技状態に移行させることが考えられる。
【先行技術文献】
【特許文献】
【０００５】
【特許文献１】特開２０１１−９８０３４号公報
【発明の概要】
【発明が解決しようとする課題】
【０００６】
上述したように、遊技機の前面に設けられた装飾部材等に手を接触させることで、これを検知する場合、装飾部材に静電容量式タッチセンサを設けることが考えられる。
しかし、静電容量式タッチセンサに直接手が接触するように構成すると、当該静電容量式タッチセンサが手の接触による衝撃によって破損する虞があるため、静電容量式タッチセンサを遊技者が接触可能なタッチセンサ操作部と、このタッチセンサ操作部に電気的接続されたセンサ本体とで構成し、タッチセンサ操作部を装飾部材の表面側に設けるとともに、センサ本体を装飾部材の内部に設けることによって上述したような破損を防止できる。
しかし、遊技機には種々の電装部品が搭載されるとともに、電気的に導通可能な金属メッキ層が形成された部品も多い。このため、静電容量式タッチセンサのタッチセンサ操作部に周囲から予期しない電気が流れ、これがセンサ本体に伝わったり、遊技者の手からタッチセンサ操作部を介して過量の静電気がセンサ本体に流れることで、センサ本体が誤検出する（例えばセンサ本体が常にＯＮとなった状態となる）虞があるという問題がある。
上述した特許文献１に記載の技術では、回転操作体とタッチリングとの間に絶縁リングが介在しているが、この技術では上述したような問題を解決することはできない。つまり、絶縁リングは回転操作体とタッチリングとの間に設けるものであり、前記タッチセンサ操作部に周囲から予期しない電気が流れたり、タッチセンサ操作部を介して過量の静電気が流れて、これがセンサ本体に伝わることを防止できないからである。
【０００７】
本発明は、前記事情に鑑みてなされたもので、遊技機の前面に静電容量式タッチセンサのタッチセンサ操作部を設けた場合に、センサ本体の誤検出を防止できる遊技機を提供することを目的とする。
【課題を解決するための手段】
【０００８】
前記目的を達成するために、本発明の遊技機は、遊技機の前面に設けられ、遊技者が接触可能なタッチセンサ操作部と、このタッチセンサ操作部に接続されたセンサ本体とを有する静電容量式タッチセンサを備えた遊技機であって、
前記タッチセンサ操作部の周囲が絶縁部で囲繞されていることを特徴とする。
【０００９】
本発明においては、静電容量式タッチセンサのタッチセンサ操作部の周囲が絶縁部で囲繞されているので、この絶縁部によってタッチセンサ操作部に周囲から予期しない電気が流れるのを阻止できるとともに、絶縁部によってタッチセンサ操作部の静電容量を制限できるので遊技者の手からタッチセンサ操作部を介して過量の静電気がセンサ本体に流れるのを防止できる。したがって、センサ本体の誤検出を防止できる。
【発明の効果】
【００１０】
本発明によれば、タッチセンサ操作部の周囲が絶縁部で囲繞されているので、遊技機の前面に静電容量式タッチセンサのタッチセンサ操作部を設けた場合に、センサ本体の誤検出を防止できる。
【図面の簡単な説明】
【００１１】
【図１】本発明の実施の形態に係る遊技機を示すもので、その正面図である。
【図２】同、遊技機を示す側面図である。
【図３】同、遊技機の上扉を示す斜視図である。
【図４】同、遊技機内に設けられる交換ユニットを上扉とともに示す断面図である。
【図５】同、遊技機の上扉を示す分解斜視図である。
【図６】同、遊技機の下扉を示す断面図である。
【図７】同、遊技機の下扉を示す正面図である。
【図８】同、可動役物装置を示す斜視図である。
【図９】同、スライド部材に設けられた第１当接部および押圧部を示す斜視図である。
【図１０】同、阻止状態の保持手段を示す斜視図である。
【図１１】同、非阻止状態の保持手段を示す斜視図である。
【図１２】同、可動役物が上昇位置にある状態の可動役物昇降機構を示す斜視図である。
【図１３】同、可動役物が上昇位置にある状態の可動役物昇降機構を別の方向から見た斜視図である。
【図１４】同、可動役物が下降位置にある状態の可動役物昇降機構を示す斜視図である。
【図１５】同、可動役物が下降位置にある状態の可動役物昇降機構を別の方向から見た斜視図である。
【図１６】同、可動役物の平面図である。
【図１７】同、可動役物の分解斜視図である。
【図１８】同、可動役物が最上昇位置より下方にある状態を示す斜視図である。
【図１９】同、可動役物が最上昇位置にある状態を示す斜視図である。
【図２０】同、可動役物が最上昇位置より下方にある状態を示す要部の斜視図である。
【図２１】同、可動役物が最上昇位置にある状態を示す要部の平面図である。
【図２２】同、可動役物の分解斜視図である。
【図２３】同、可動役物が上昇位置にある状態を示す可動役物装置の正面図である。
【図２４】同、可動役物が下降している状態を示す可動役物装置の正面図である。
【図２５】同、可動役物が下降位置にある状態を示す可動役物装置の正面図である。
【図２６】同、第１可動役物が第２可動役物より下方に出現した状態を示す可動役物装置の正面図である。
【図２７】同、遊技機の可動役物を昇降する右の昇降手段を示す斜視図である。
【図２８】同、遊技機の可動役物を昇降する右の昇降手段を示す斜視図である。
【図２９】同、遊技機の右の昇降手段の歯車昇降機構を示す斜視図である。
【図３０】同、遊技機の右の昇降手段の歯車昇降機構を示す正面図である。
【図３１】同、遊技機の右の昇降手段の歯車昇降機構を示す正面図である。
【図３２】同、遊技機の右の昇降手段の動滑車機構を示す左側面図である。
【図３３】同、遊技機の右の昇降手段の動滑車機構を示す右側面図である。
【図３４】同、遊技機の右の昇降手段の動滑車機構を示す左側面図である。
【図３５】同、遊技機の右の昇降手段の動滑車機構を示す右側面図である。
【図３６】同、遊技機から装飾部材を取り外した状態を示す分解斜視図である。
【図３７】同、装飾部材の分解斜視図である。
【図３８】同、基台部の裏面側の分解斜視図である。
【図３９】同、フィギュア部の裏面側の斜視図である。
【図４０】同、タッチセンサ操作部とセンサ本体を示す斜視図である。
【図４１】同、タッチセンサ操作部の斜視図である。
【図４２】同、タッチセンサ操作部の分解斜視図である。
【図４３】同、タッチセンサ操作部の裏面側の斜視図である。
【図４４】同、絶縁部の斜視図である。
【発明を実施するための形態】
【００１２】
以下、本発明の実施の形態について図面を参照して説明する。本実施の形態は本発明を遊技機の一つであるスロットマシンに適用した場合を例にとって説明するが、本発明はスロットマシンに限ることなく、パチンコ等の遊技機に適用してもよい。
パチンコ遊技機は、例えば、機枠と、機枠に扉状に開閉自在に取り付けられた本体枠と、本体枠の内側に収容された遊技盤と、本体枠の前面に開閉自在に取り付けられたガラス扉と、ガラス扉の下側で本体枠の前面に開閉自在に取り付けられた前面ボードと、前面ボードの右下隅部に取り付けられた発射ハンドル等を備えている。
遊技盤の盤面には、ガイドレールで囲まれるとともに、発射された遊技球が流下する遊技領域が設けられるとともに、遊技盤の盤面のほぼ中央部に、変動表示ゲームを表示する表示器が設けられている。また、遊技盤の盤面には遊技球が入賞可能な各種入賞口、入賞口に入賞しなかった遊技球を排出する排出口、遊技球の進行方向を変化させる遊技釘や風車等が設けられている。
そして、後述する可動役物８１,２０１等は、遊技盤の前方でかつ遊技球が通る遊技領域以外に設ければよい。
【００１３】
図１はスロットマシンＭの正面図であり、このスロットマシンＭで遊技する遊技者側から見たスロットマシンＭを示し、図１における左右方向（前記遊技者から見た左右方向）が以下の説明におけるスロットマシンＭおよびこのスロットマシンＭを構成する各構成部材における左右方向となる。また、図２は、スロットマシンＭの左側面図であり、図２において、スロットマシンＭの右側で遊技者が遊技することになる。以下の説明において、図２中スロットマシンＭの左側から右側（スロットマシンＭから遊技者）に向かう方向がスロットマシンＭおよびその構成部材における前方向となり、図２中スロットマシンＭの右側から左側（遊技者からスロットマシンＭ）に向かう方向がスロットマシンＭおよびその構成部材の後方向となる。
【００１４】
本発明が適用されるスロットマシンＭの概略構成について説明する。
図１〜図７に示すように、このスロットマシンＭは、筐体１（図２に図示）を備えており、この筐体１は、底板、左右の側板、天板および背板を備え、当該筐体１の正面側に開口する正面開口部を有する箱形に形成されている。なお、底板の上面には、各部品に電力を供給するための電源装置（図示略）を内蔵した電源ユニットやメダルの回収および払い出しを行うホッパ装置等が設けられている。
【００１５】
また、前記筐体１の左右の側板間には、筐体１の高さ方向略中央で水平となるように中板（図示略）が設けられており、この中板によって筐体１内は上下に分割されている。したがって、筐体１の前記正面開口部は、その上部を開口する開口上部とその下部を開口する開口下部との２つに区画されている。
筐体１の正面には、筐体１の正面開口部を開閉可能に閉塞する前扉３が設けられており、この前扉３は、前記開口上部を開閉可能に閉塞する上扉（前扉上部）３０と、前記開口下部を開閉可能に閉塞する下扉（前扉下部）４０とを備えている。
【００１６】
前記筐体１内には前記中板の上面に、交換ユニット２（図４に図示）が着脱可能に設けられている。この交換ユニット２は、略直方体状に組まれた金属枠である枠体２１と、枠体２１に支持されたリールユニット２２と、枠体２１に固定された基板ユニット（図示略）とを備えている。
【００１７】
リールユニット２２は、枠体２１に設けられた３個のステッピングモータ（図示略）と、各々のステッピングモータの出力軸に固定された３個の回転リール２３とを備えている。また、基板ユニットは、ＣＰＵ、ＲＯＭ、ＲＡＭ、Ｉ／Ｏ等の電子部品を備えた基板を、基板ケースに収納したものである。そして、基板ユニットは、スロットマシンＭの遊技を制御するための遊技制御装置として機能する。なお、回転リール２３は、図４に示すように、水平な回転軸回りに回転可能で、各回転リール２３は、同軸上に左右に並んで配置された状態になっている。
【００１８】
図５に示すように、前記上扉３０は、外枠（キャビネット上ユニット）３０ｂの背面側内部に、中枠３０ａを固定したものである。
上扉３０にはその一方の縦方向の側縁部に上扉側蝶番（図示略）が設けられている。一方、前記交換ユニット２の枠体２１には枠体側蝶番（図示略）が設けられており、この枠体側蝶番に前記上扉側蝶番を係合させることによって、上扉３０は、交換ユニット２の枠体２１に回動自在に取り付けられている。
【００１９】
なお、このスロットマシンＭは、分離型筐体タイプの構造を有するものであり、遊技店における機種の交換時に、上扉３０が回動自在に取り付けられた交換ユニット２を交換するようになっており、機種の交換時に筐体１、下扉４０および筐体１内の電源ユニットやホッパ装置等は、遊技店の島設備に取り付けられたままで、交換されないようになっている。また、スロットマシンＭは、分離型筐体タイプに限られるものではなく、機種交換時にスロットマシン全体を交換するものであってもよい。この場合に、前扉３を上扉３０と下扉４０に分けない一体の構造としてもよい。また、上扉３０と下扉４０とに分ける場合に、上扉３０を、筐体１の側板に回動自在に取り付けてもよい。
【００２０】
また、上扉３０の外枠３０ｂには、リールユニット２２の左右３つの各回転リール２３の表面に表示されている図柄を視認可能に覆うとともに、その上側の液晶表示装置としてのディスプレイ５５（図５に図示）の表示を視認可能に覆い、かつ、第１の可動役物８１の移動空間を視認可能に覆う窓部５６が設けられている。
この窓部５６はリールユニット２２上のディスプレイ５５の前からリールユニット２２の前まで上下に長いものとなっている。
【００２１】
この窓部５６には、透明な保護パネル６１が窓部５６の開口を閉塞するように取り付けられている。窓部５６は、その下部側で各回転リール２３の表面に周方向に並んで設けられた図柄が３個ずつ表示可能に形成されている。
窓部５６の上部は、各当選役の図柄配列や遊技履歴等の情報の画像や、遊技の状態や当選役の抽選結果を報知する画像等を表示するためのディスプレイ５５を視認可能にしている。
【００２２】
保護パネル６１は、各回転リール２３を覆う部分、すなわち、各回転リール２３が停止した場合に、各回転リール２３の上段の図柄、中段の図柄、下段の図柄が視認される部分を覆う部分のうちの中段と下段を覆う部分が平面板（平板）状に形成され、その上側の部分が前側に膨出するように縦断面が円弧状の湾曲板状とされている。なお、このスロットマシンＭにおいては、３つの回転リール２３の中段を結ぶ横のラインと、下段を結ぶ横のラインとが各回転リール２３が停止した際に、上述のラインに各小役、リプレイ、ボーナス役にそれぞれ対応する所定の図柄が表示される場合に各小役、リプレイ、ボーナス役を入賞とするようになっている。すなわち、中段のラインと、下段のラインが有効ラインとなっている。それに対して、各回転リール２３の上段のラインは、各小役、リプレイ、ボーナス役の入賞には関係のない無効ラインとなっている。
【００２３】
したがって、保護パネル６１では、中段と下段の有効ラインを視認する部分が平板状とされ、上段の無効ラインを視認する部分が湾曲している。
また、平板部上の湾曲部においては、平板部と接続される下端部より上側の方が前側（スロットマシンＭの遊技者側）に膨出しており、保護パネル６１の平板部より上側の部分の背面側に可動役物等の役物を配置または移動可能な空間を確保するようになっている。
【００２４】
また、上扉３０の中枠３０ａの下部の左右には、種々のサウンドを出力するためのスピーカ３５（図５に図示）が窓部５６を挟んで設けられている。なお、外枠３０ｂには、スピーカ３５を覆う位置に、多数の孔が形成された音出力部５７が設けられている。
また図１に示すように、窓部５６の右側には、後述する装飾部材５００が設けられている。
【００２５】
上扉３０の中枠３０ａは、中央部に開口部５９を有する枠状に設けられ、この開口部５９の略中央部に開口部５９を上下に分ける分離帯５８が配置され、中枠３０ａの開口部５９の上側がディスプレイ用窓部５９ａとされ、下側がリール用窓部５９ｂとされている。したがって、外枠３０ｂでは、ディスプレイ５５と回転リール２３とを視認可能とする窓部５６が１つとされ、この窓部５６に１つの保護パネル６１が配置されているが、中枠３０ａでは、中央の開口部５９がディスプレイ用窓部５９ａとリール用窓部５９ｂに分かれた状態となっている。
【００２６】
ディスプレイ用窓部５９ａには、中枠３０ａの背面側からディスプレイ５５として液晶表示装置が取り付けられている。また、リール用窓部５９ｂの部分では、３つの回転リール２３の表面上に設定された上下３段のライン（無効ライン、第１の有効ライン、第２の有効ライン）に沿って並ぶ図柄を表示可能な部分が入り込んだ状態となっている。
【００２７】
下扉４０は筐体１の開口下部を開閉可能に閉塞するための扉である。図６および図７に示すように、外枠４０ｂの背面側内部に中枠４０ａを取り付けたものである。
下扉４０の一方の縦方向の側縁部に下扉側蝶番（図示略）が設けられている。そして、この下扉側蝶番を、筐体１の一方の側板に設けられた筐体側蝶番（図示略）と係合させることで、下扉４０は、筐体１の一方の側板に回動自在に取り付けられている。
【００２８】
また、下扉４０の上部には、図１に示すように、スロットマシンＭを操作するための操作部５０が設けられている。操作部５０には、クレジットされたメダルを払い出すための精算スイッチ５２、ゲームを開始させるためのスタートスイッチ５３、回転リール２３の回転を停止させるためのストップスイッチ５４等が設けられている。
また、下扉４０の上部右側には、メダルを投入するためのメダル投入口４２が設けられている。また、下扉４０の下部には、スロットマシン内部よりメダルを排出するためのメダル払い出し口４１と、メダル払い出し口４１から排出されたメダルを溜めておくためのメダル受け皿４３とが形成されている。また、操作部５０とメダル受け皿４３との間には透明の前パネル４５が取り付けられている。
【００２９】
また、本実施の形態のスロットマシンＭは、図８に示すように、可動役物装置８０を備えており、この可動役物装置８０は前記中枠３０ａ（図５参照）に設けられている。可動役物装置８０は、前記第１の可動役物８１と、この第１の可動役物８１を所定の上昇位置で保持する保持手段９０とを備えている。
第１の可動役物８１は横方向に延在する横バー部８２と、この横バー部８２の両端部にそれぞれ設けられたスライド部材８３，８３とを備えている。
また、可動役物装置８０は、左右一対の上下方向に延在するスライドレール８４，８４を備えている。スライドレール８４，８４は、左右に離間して平行に設けられており、このスライドレール８４，８４に沿ってスライド部材８３，８３が上下動可能となっている。これによって第１の可動役物８１は上下動可能に設けられている。
なお、図８に示す状態では、第１の可動役物８１は上部可動限界位置となる上昇位置に位置している。
【００３０】
第１の可動役物８１の背面側には、当該第１の可動役物８１を下部可動限界位置となる下降位置と前記上昇位置との間で上下動させる上下動駆動手段１０５が設けられている。
この上下動駆動手段１０５は、ベース板金８５に取り付けられたモータ（ステッピングモータ）８６と、このモータ８６によって図示しないギヤを介して回転されるプーリ８７と、スライドレール８４の下端部近傍に設けられたプーリ８８と、プーリ８７とプーリ８８とに巻き掛けられたベルト８９とを備えており、このベルト８９の所定部位がスライド部材８３に固定されている。したがって、モータ８６を正逆方向に回転させることによって、第１の可動役物８１は上昇位置と下降位置との間を上下動するようになっている。
【００３１】
前記保持手段９０は、第１の可動役物８１に設けられた第１当接部９１と、この第１当接部９１が当接することによって第１の可動役物８１の下降を阻止する規制部材１２２と、この規制部材１２２を第１の可動役物８１とともに上下動する第１当接部９１の移動経路中に進出させる方向に付勢する第１付勢部材（バネ）９３（図１０参照）と、第１当接部９１が規制部材１２２に当接している状態から第１の可動役物８１が下降する際に、規制部材１２２を第１付勢部材（バネ）９３の付勢力に抗して移動経路中から退避させる駆動手段９４（図１０参照）と、第１の可動役物８１に設けられて、当該第１の可動役物８１が規制部材９２より下方から上昇する際に、規制部材１２２を第１付勢部材（バネ）９３の付勢力に抗して前記移動経路中から退避させる方向に押圧する押圧部９８（図９参照）とを備えている。
【００３２】
前記規制部材１２２は、図１０に示すように、Ｌ形の板状に形成されており、円筒状の軸部９２ａの上端部に当該軸部９２ａの径方向に突出して設けられている。この規制部材１２２の上面に第１当接部９１が当接するようになっている。
また、軸部９２ａの下端部には突出板９２ｃが当該軸部９２ａの径方向に突出して設けられている。突出板９２ｃは前記ソレノイド９４ａの駆動軸９４ｂに形成された溝部に挿入されている。なお、この溝部は駆動軸９４ｂの先端面および外周面に開口しおり、突出板９２ｃはこれら先端面および外周面から外側に若干突出している。また、規制部材１２２と突出板９２ｃとは互いにほぼ逆方向に突出している。
また、ベース台１００には支持軸１０１が立設されており、この支持軸１０１に円筒状の軸部９２ａが軸回りに正逆方向に回転自在に外挿されている。また、支持軸１０１の上端部はプレート１１０によって支持されている。また、このプレート１１０の下面に規制部材１２２が摺動自在に当接している。
ソレノイド９４ａの駆動軸９４ｂには、軸部９４ｅが駆動軸９４ｂと直交して上下に挿通されており、この軸部９４ｅは前記突出板９２ｃに形成された長穴にその長手方向に移動自在に挿通されている。
【００３３】
また、ソレノイド９４ａの駆動軸９４ｂの外周側にはバネ（第１付勢部材）９３が圧縮された状態で設けられており、このバネ９３の一端部は駆動軸９４ｂに固定され、他端部はボックス９４ｄの外面に当接されている。したがって、駆動軸９４ｂはバネ９３の付勢力によって進出する方向（図１６において駆動軸９４ｂの軸方向右方）に付勢されている。
一方、図１１に示すように、ソレノイド９４ａをＯＮすることによって駆動軸９４ｂをバネ９３の付勢力に抗して後退させることによって、軸部９４ｅが後方（図１７において左方）に移動し、これによって、突出板９２ｃが軸部９２ａを軸として後方に回転移動する。突出板９２ｃが後方に回転移動すると、軸部９２ａが正方向（時計回り）に回転し、これによって、規制部材１２２が軸部９２ａを軸として正方向（時計回り）に回転する。この状態において、規制部材１２２は前記第１当接部９１の上下の移動経路中から退避した状態（非阻止状態）となる。このようにして、駆動手段９４は規制部材１２２をバネ（第１付勢部材）９３の付勢力に抗して前記移動経路中から退避させるようになっている。
【００３４】
また、前記押圧部９８は、図９に示すように、可動役物装置８０と同様に、下方に向かうにしたがって、漸次ベース板８３ａからの突出高さが高くなるような傾斜部９８ａを有しており、この傾斜部９８ａの最高高さと第１当接部９１の高さとはほぼ等しくなっている。
したがって、第１の可動役物８１が規制部材１２２より下方から上昇して、前記移動経路中に位置している規制部材１２２の一側部に押圧部９８の傾斜部９８ａがその低い方から当接して摺動していくと、規制部材１２２が傾斜部９８ａによって上方に押され、これによって、規制部材１２２は軸部９２ａを軸として前記バネ９３の付勢力に抗して時計回りに回転して、移動経路中から退避していく。
規制部材１２２が退避して傾斜部９８ａの最も高い位置を相対的に過ぎ、さらに第１当接部９１を過ぎると、当該規制部材１２２はバネ９３の付勢力によって反時計回りに回転して、元の阻止状態に戻るようになっている。
【００３５】
次に、第１の可動役物８１の動きについて説明する。
まず、図８に示す状態が、第１の可動役物８１が上部可動限界位置となる上昇位置に位置している状態（阻止状態）である。
この阻止状態では、規制部材１２２が、第１の可動役物８１とともに上下動する第１当接部９１の移動経路中に進出しており、この規制部材１２２に第１当接部９１が当接することによって、第１の可動役物８１が上昇位置で確実に保持される。
【００３６】
この阻止状態から第１の可動役物８１を下降させる場合、ソレノイド９４ａをＯＮすると、ソレノイド９４ａの駆動軸９４ｂがバネ９３の付勢力に抗して後退し、これによって、軸部９４ｅ、突出板９２ｃ、軸部９２ａを介して規制部材１２２が時計回りに回転して、非阻止状態となり、ソレノイド９４ａの保持力によって保持される。
【００３７】
次に、モータ８６によってベルト８９を正方向に回転せることによって第１の可動役物８１が下降位置まで下降する。このように、第１当接部９１が規制部材１２２に当接している阻止状態から第１の可動役物８１が下降する際は、ソレノイド９４ａによって、規制部材１２２をバネ（第１付勢部材）９３の付勢力に抗して第１当接部９１の移動経路中から退避させるので、第１の可動役物８１は所定の下降位置まで下降する。
第１の可動役物８１が下降したならば、ソレノイド９４ａをＯＦＦとする。これによって、規制部材１２２はバネ９３の付勢力によって、元の位置に戻る（阻止状態に戻る）。
ここで、第１の可動役物８１を下降させる場合、駆動手段９４のソレノイド９４ａをＯＮとすることによって、規制部材１２２を第１当接部９１の移動経路中から退避させるが、この駆動手段９４を駆動させる時間（ソレノイド９４ａをＯＮとしている時間）は、第１の可動役物８１のスライド部材３４が、退避している規制部材１２２の側方を通過するまでの短い時間だけで済む。したがって、第１の可動役物８１が上昇位置から下降位置まで下降し、再び上昇位置に戻るまでの長い時間においてソレノイド９４ａをＯＮ状態にしておく必要がないので、ソレノイド９４ａに対する電気的負担も軽減できるという効果がある。
【００３８】
次に、第１の可動役物８１を前記所定の下降位置から所定の上昇位置まで上昇させる場合、モータ８６によってベルト８９を逆方向に回転させることによって、第１の可動役物８１が引き上げられて、当該第１の可動役物８１が上昇していく。
第１の可動役物８１が上昇すると、第１の可動役物８１に設けられた押圧部９８の傾斜部９８ａが規制部材１２２をバネ９３の付勢力に抗して移動経路中から退避させる方向に押圧して、規制部材１２２が移動経路中から退避するので、第１の可動役物８１は所定の上昇位置まで上昇することができる。
そして、第１の可動役物８１が上昇して押圧部９８が規制部材１２２から離間することによって、当該規制部材１２２がバネ９３の付勢力によって、第１当接部９１の移動経路中に進出する。そして、この規制部材１２２に第１当接部９１が当接することによって第１の可動役物８１の下降を阻止して、所定の上昇位置で保持することができる。
このように本実施の形態では、ソレノイド９４ａ等で構成される駆動手段９４が作動不良を起こした場合でも、第１の可動役物８１を所定の上昇位置で確実に保持できる。
【００３９】
なお、本実施の形態では、本発明を第１の可動役物８１がモータ８６によってベルト８９を回転させることによって下降する場合を例にとって説明したが、本発明は第１の可動役物８１がその自重によって落下する場合も適用できる。
【００４０】
また、本実施の形態のスロットマシンＭは、図１２〜図１５に示すように、可動役物昇降機構２００を備えており、この可動役物昇降機構２００は、前記中枠３０ａの左右両側に対称的に設けられている。したがって、以下では右側の可動役物昇降機構２００について説明し、左側の可動役物昇降機構の説明は省略する。
可動役物昇降機構２００は、第２の可動役物２０１と、可撓性部材２０２であるＦＦＣ（フレキシブルフラットケーブル）２０２とを備えている。
第２の可動役物２０１は前記第１の可動役物８１の背面側において、上下動可能（昇降可能）に設けられている。
【００４１】
また、第２の可動役物２０１は図示しない複数のギヤを有する昇降手段２０３を介してモータ２０３ａによって、下部可動限界位置となる下降位置から上部可動限界位置となる上昇位置まで上昇するようになっており、上昇位置に達すると、昇降手段２０３から外れて、自重によって下降位置まで落下（下降）するようになっている。
【００４２】
第２の可動役物２０１は、図１６に示すように、スライド部（可動部）２０１ａと、このスライド部２０１ａに基端部（右端部）が支持された演出部２０１ｂとを有している。そして、スライド部２０１ａが上下に延在するスライドレール２０４（図１２参照）に沿って上下動するようになっている。スライドレール２０４は前記中枠３０ａに設けられている。
【００４３】
また、演出部２０１ｂの先端部には、図１６および図２１に示すように、演出部２０１ｂの他の部分より遊技盤の中枠３０ａの表面３０ｃからの距離が長くなるような薄肉部２０１ｃが設けられている。つまり、演出部２０１ｂの先端部の裏面には、基端側から先端側に向かうにしたがって徐々に表面３０ｃからの距離が長くなるような傾斜面２０１ｄが形成されており、この傾斜面２０１ｄを形成することによって前記薄肉部２０１ｃが設けられている。
なお、図５に示すように、上扉３０は、外枠（キャビネット上ユニット）３０ｂの背面側内部に、中枠３０ａを固定したものであるが、この中枠３０ａが請求項１でいう「遊技盤」に相当する。
【００４４】
演出部２０１ｂは、図１７に示すように、ＬＥＤ基板２０１ｅと、このＬＥＤ基板２０１ｅの表面側に被せられるレンズ部２０１ｆと、レンズ部２０１ｆの裏面側に設けられる透光性を有するシート部材２０１ｇと、このシート部材２０１ｇを押える透光性を有するシート押え２０１ｈと、ＬＥＤ基板２０１ｅの裏面側に設けられる遮光カバー２０１ｉとを備えている。なお、シート部材２０１ｇは受けた光を拡散することができる拡散シートによって形成されている。
そして、ＬＥＤ基板２０１ｅに設けられたＬＥＤ２０１ｊからの光がシート押え２０１ｈおよびシート部材２０１ｇを通して、レンズ部２０１ｆに照射され、このレンズ部２０１ｆが点灯または点滅するようになっている。
【００４５】
また、レンズ部２０１ｆの先端部の裏面には上述したような傾斜面２０１ｄが形成されているが、この傾斜面２０１ｄに沿って遮光カバー２０１ｉの裏面に傾斜面２０１ｋが形成されている。この傾斜面２０１ｋは傾斜面２０１ｄよりレンズ部２０１ｆの若干内側に配置されている。
なお、スライド部２０１ａにはレンズ部２０１ｆの基端部が取り付けられ、このレンズ部２０１ｆにＬＥＤ基板２０１ｅ、シート部材２０１ｇ、シート押え２０１ｈ、遮光カバー２０１ｉが取り付けられている。
【００４６】
このような構成の第２の可動役物２０１は、図１８および図１９に示すように、所定の演出終了後、下方から上昇してきて最上昇位置で保持される。この最上昇位置は、中枠３０ａに設けられた開口部５９の上方にある表面３０ｃの位置である。つまり、第２の可動役物２０１は開口部５９の上縁を超えてその上の中枠３０ａの表面３０ｃまで上昇して、この表面３０ｃで保持される。
【００４７】
表面３０ｃには、第２の可動役物２０１の長さ方向略中央部に対応して、縦長のリブ３１が設けられている。このリブ３１の下端部には、図２０に示すように、上方に向かうにしたがって徐々に表面３０ｃから離間するような傾斜部３１ａが形成されており、この傾斜部３１ａの下端は表面３０ｃの下縁に位置している。
一方、第２の可動役物２０１が昇降する際は、当該第２の可動役物２０１の演出部２０１ｂは前記表面３０ｃより若干前方側を昇降するが、演出部２０１ｂはその基端部がスライド部（可動部）２０１ａに支持されているので、昇降の際に先端部側ほど揺れ量が大きくなる。したがって、第２の可動役物２０１が最上昇位置に戻る際に、演出部２０１ｂが表面３０ｃの下縁部、すなわち、開口部５９の上縁と表面３０ｃの交差部に衝突して、当該演出部２０１ｂに過度の衝撃が加わる虞がある。
【００４８】
このため、本実施の形態では、上述したように、演出部２０１ｂの先端部に薄肉部２０１ｃが設けられ、この薄肉部２０１ｃは演出部２０１ｂが昇降の際に揺れても、中枠３０ａの表面３０ｃから前方に逃げた状態となり、当該表面３０ｃの下縁部に干渉しないようになっている。
また、演出部２０１ｂが上昇してきて表面３０ｃの下縁部に至ると、当該演出部２０１ｂの下面がリブ３１の傾斜部３１ａに沿って徐々に前方に持ち上げられるようにして上昇し、傾斜部３１ａを過ぎると演出部２０１ｂの下面がリブ３１に乗り上げることによって、演出部２０１ｂが表面３０ｃから離間した位置に位置して当該表面３０ｃに干渉しないようになっている。
【００４９】
このように本実施の形態では、第２の可動役物２０１の演出部２０１ｂの先端部に、当該演出部２０１ｂの他の部分より遊技盤の表面３０ｃからの距離が長くなるような薄肉部２０１ｃが設けられているので、当該第２の可動役物２０１を上昇させた際に、当該薄肉部２０１ｃが表面３０ｃの下縁部に対して逃げて干渉し難くなり、その結果、演出部２０１ｂの先端部の表面３０ｃの下縁部への干渉を抑制できる。したがって、演出部２０１ｂの破損等を防止できる。
【００５０】
また、前記表面３０ｃには突出部３２が設けられている。そして、この突出部３２に上昇してきた演出部３１ｂの上面が当接することで、当該突出部３２は演出部２０１ｂ、すなわち第２の可動役物２０１の上限位置でのストッパとして機能するようになっている。
【００５１】
なお、本実施の形態では、第２の可動役物２０１が昇降（上下に移動）する場合を例にとって説明したが、本発明では、可動役物が上下以外、例えば左右や斜め方向に移動する場合に適用してもよい。
【００５２】
また、第２の可動役物２０１は上述したようにＬＥＤ基板２０１ｅを有しており、このＬＥＤ基板２０１ｅに電力を供給するためのＦＦＣ２０２の他端部が第２の可動役物２０１に接続され、固定板２０５によって固定されている。また、ＦＦＣ２０２の一端部は電源基板２０６に接続されて固定されている。このようなＦＦＣ２０２は、第２の可動役物２０１を所定の可動範囲内（上昇位置と下降位置の間）で上下動可能とする十分な長さを有している。
【００５３】
また、前記ＦＦＣ２０２が動く経路中に、巻掛け部２０７ａが配置されている。この巻掛け部２０７ａは滑車によって構成されており、この滑車２０７ａは移動部材２０７に設けられている。つまり、移動部材２０７は巻掛け部（滑車）２０７ａを有している。滑車２０７ａはＦＦＣ２０２の長手方向と直交する方向と平行な軸に正逆方向に回転自在に取り付けられており、この軸が移動部材２０７に取り付けられている。
移動部材２０７は、滑車２０７ａが取り付けられた取付部２０７ｂと、この取付部２０７ｂに一体的に設けられたスライド部２０７ｃと、取付部２０７ｂに一体的に設けられたガイド板２０７ｄを有している。
一方、ＦＦＣ２０２の側方には、ＦＦＣ２０２の長手方向に沿ってレール部２０８が設けられており、スライド部２０７ｃはこのレール部２０８に上下に移動可能に係合している。これによって、移動部材２０７は上下に移動可能に設けられている。
【００５４】
また、巻掛け部（滑車）２０７ａには、第２の可動役物２０１が下降する際にＦＦＣ２０２が巻き掛けられるようになっている。
すなわち、図１２および図１３は、第２の可動役物２０１が上昇位置に位置している状態を示しており、この上昇位置に第２の可動役物２０１が位置している場合は、ＦＦＣ２０２は滑車２０７ａの外周面の一部に沿うようにして当接しており、当該ＦＦＣ２０２の上端部（他端部）は滑車２０７ａより上方に延在して、固定板２０５より上方位置で下方に向けて曲げられたうえで第２の可動役物２０１に接続され、固定板２０５によって固定されている。
そして、第２の可動役物２０１が自重により落下して下降すると、図１４および図１５に示すように、滑車２０７ａの外周面の略上半分にＦＦＣ２０２が巻き掛けられるようになっている。ＦＦＣ２０２が巻き掛けられた状態で第２の可動役物２０１が下降すると、移動部材２０７がＦＦＣ２０２によって滑車２０７ａを介して下方に引っ張られるようになっている。
【００５５】
また、図１２〜図１５に示すように、移動部材２０７は付勢部材２１０によって上方に付勢されている。すなわち、前記レール部２０８の側方には、固定板２１１が固定されており、この固定板２１１の上端部に滑車２１２が設けられている。この滑車２１２には付勢部材２１０としてのバネ２１０が巻き掛けられており、当該バネ（付勢部材）２１０の一端部は固定板２１１の下端部に固定され、他端部は移動部材２０７のスライド部２０７ｃに固定されている。
図１２および図１３に示す状態（第２の可動役物２０１が上昇位置にある状態）では、バネ２１０は移動部材２０７の重さによって引っ張られた状態となっており、この状態で釣り合っている。したがって、移動部材２０７にはバネ２１０から上方に向けて付勢力が作用している。
そして、この状態から第２の可動役物２０１が所定距離だけ下降して、ＦＦＣ２０２が滑車２０７ａに巻き掛けられると、移動部材２０７はＦＦＣ２０２によって下方に引っ張られ、一方、移動部材２０７はバネ２１０によって上方に付勢される。
ここで、バネ２１０の付勢力は、移動部材２０７がＦＦＣ２０２によって滑車２０７ａを介して下方に引っ張られる引張力より小さく設定されている。
したがって、第２の可動役物２０１は、ＦＦＣ２０２が滑車２０７ａに巻き掛けられた後も、バネ２１０の付勢力に抗して、下降していくことになる。
【００５６】
次に、第２の可動役物２０１の動きについて説明する。
まず、図１２および図１３に示す状態が、第２の可動役物２０１が上部可動限界位置となる上昇位置に位置している状態である。
第２の可動役物２０１を下降位置から上昇位置まで上昇させるには、上述したように、昇降手段２０３を介してモータ２０３ａによって上昇させる。第２の可動役物２０１が上昇位置に達すると、昇降手段２０３から外れて、自重によって下降していく。
【００５７】
第２の可動役物２０１が下降していくと、これに伴ってＦＦＣ２０２の上端部（他端部）も下降していく。そして、第２の可動役物２０１が所定距離だけ下降すると、ＦＦＣ２０２が滑車（巻掛け部）２０７ａに巻き掛けられる。この際、移動部材２０７のガイド板２０７ｄによってＦＦＣ２０２がガイドされて滑車２０７ａにスムーズに巻き掛けられる。つまり、ガイド板２０７ｄによってＦＦＣ２０２は手前側（図１２において斜め左下方向）に撓むのを防止され、滑車２０７ａにスムーズに巻き掛けられる。
【００５８】
この状態でさらに第２の可動役物２０１が下降すると、図１４および図１５に示すように、移動部材２０７が滑車２０７ａを介してＦＦＣ２０２によって下方に引っ張られつつ下降していく。
一方、移動部材２０７はバネ（付勢部材）２１０によって上方に付勢されているので、ＦＦＣ２０２にはそれを引っ張る方向に張力が作用する。したがって、ＦＦＣ２０２の撓みを防止できるとともに、移動部材２０７がＦＦＣ２０２によって下方に引っ張られる引張力よりバネ（付勢部材）２１０の付勢力が小さく設定されているので、滑車２０７ａは移動部材２０７とともに第２の可動役物２０１と同調して下降する。
【００５９】
また、第２の可動役物２０１が上述のようにして上昇する際には、この第２の可動役物２０１とともにＦＦＣ２０２の他端部が上昇していき、このＦＦＣ２０２の滑車２０７ａに巻き掛けられている部分が滑車２０７ａから上方に離れていくので、滑車２０７ａにはＦＦＣ２０２から下方へ引張力が作用しない。
一方、滑車２０７ａはバネ（付勢部材）２１０によって移動部材２０７を介して上方に付勢されているので、滑車２０７ａはバネ（付勢部材）２１０の付勢力によって移動部材２０７とともに滑車２０７ａが巻き掛けられた状態で上昇する。したがって、ＦＦＣ２０２に滑車２０７ａから張力が作用するので、ＦＦＣ２０２の撓みを防止できる。
さらに、第２の可動役物２０１が上昇すると、移動部材２０７は所定の位置でその上昇が止まり、それ以降は、滑車２０７ａに巻き掛けられていたＦＦＣ２０２が滑車２０７ａから離れ、最後に図１２および図１３に示す状態になる。
このように、本実施の形態では、上下動する第２の可動役物２０１に接続されているＦＦＣ２０２が第２の可動役物２０１の上下動にともなって撓むのを防止できる。
【００６０】
また、ＦＦＣ２０２が巻掛け部としての滑車２０７ａに巻き掛けられるので、巻掛け部が滑車でない場合に比して、巻掛け部からＦＦＣ２０２に作用する摩擦力が小さくなる。このためＦＦＣ２０２の動きがスムーズとなり、その結果第２の可動役物２０１の上下動もスムーズとなる。
【００６１】
なお、本実施の形態では、本発明を第２の可動役物２０１が自重によって落下する場合を例にとって説明したが、本発明は第２の可動役物２０１がその自重とモータによって落下する場合も適用できる。
また、本実施の形態では、ＦＦＣ２０２が巻き掛けられる巻掛け部として滑車２０７ａを採用したが、巻掛け部としては滑車２０７ａに限ることはない。例えば、ＦＦＣ２０２を巻き掛けることができる円柱状の軸部材等であってもよい。
また、本実施の形態は、可撓性部材としてＦＦＣ２０２を例にとって説明したが、可撓性部材はこれに限ることなく、電力供給用の紐状のケーブルであってもよいし、さらに電力供給以外の目的に使用される紐状や帯状のものでもよい。
【００６２】
また、上述したように、本実施の形態では、図８に示すように、前記可動役物装置８０は、スライドレール（ベース部材）８４，８４に上下動可能に設けられた第１の可動役物８１を備えており、この第１の可動役物８１は、前後に配置された第１可動役物３０１と第２可動役物３０２とから構成されている。なお、図８に示すように、第２可動役物３０２が前側に位置し、第１可動役物３０１が後側に位置している。また、図８において、基本的には、第１の可動役物８１を挟んで左側の部分と右側の部分とは左右対称の構成となっているので、以下では左側の部分の構成を説明し、右側の構成については説明を省略する。なお、図８において、右側のスライド部材８３等は他の部材によって隠されている。
【００６３】
第１可動役物３０１と第２可動役物３０２とは、第１の可動役物８１の移動方向（本実施の形態では上下方向）に相対的に移動可能となっている。
すなわち、第１可動役物３０１はその両端部にそれぞれスライドレール８４に沿って上下動するスライド部材８３を有しており、このスライド部材８３に、図示しない円柱状の軸部が上下に離間して２本立設されている。一方、第２可動役物３０２は、その両端部にそれぞれ上下に長い長円状のレール部３０３を有しており、このレール部３０３に前記円柱状の軸部が上下に移動可能に挿通されている。そしてこの軸部に円板３０４がビスによって固定されており、この円板３０４はレール部３０３に対して上下に摺動自在となっている。
したがって、第１可動役物３０１は、前記軸部がレール部３０３を上下に移動可能な範囲において、第２可動役物３０２に対して上下に移動可能となっている。
【００６４】
また、第１可動役物３０１が第２可動役物３０２に対して最も上昇位置にある場合（上側の前記軸部がレール部３０３の上端に当接している場合）に、第１可動役物３０１は第２可動役物３０２の背面側にほぼ隠されるようになっている。さらに、第１可動役物３０１が第２可動役物３０２に対して最も下降位置にある場合（下側の前記軸部がレール部３０３の下端に当接している場合）に、第１可動役物３０１は第２可動役物３０２より下方位置して、当該第２可動役物３０２を前方から視認できるようになっている。
【００６５】
また、第１可動役物３０１は第２可動役物３０２を伴って前記上下動駆動手段（駆動手段）１０５によって上下動されるようになっている。この上下動駆動手段１０５は、上述したように、ベース板金８５に取り付けられたモータ（ステッピングモータ）８６と、このモータ８６によって図示しないギヤを介して回転されるプーリ８７と、スライドレール８４の下端部近傍に設けられたプーリ８８と、プーリ８７とプーリ８８とに巻き掛けられたベルト８９とを備えており、このベルト８９の所定部位がスライド部材８３に固定されている。したがって、モータ８６を正逆方向に回転させることによって、第１の可動役物８１は上昇位置と下降位置との間を上下動するとともに、モータ８６を停止させることによって所定の位置で停止できるようになっている。
また、前記プーリ８８は、バネ３０６によって下方に付勢さており、これによって、ベルト８９に所定のテンションがかけられ、当該ベルト８９の緩みを防止している。
【００６６】
また、スライドレール８４の下端部には、縦長の部材３０７が固定されている。この部材３０７の下端部に、第２可動役物３０２に当接して当該第２可動役物３０２のそれ以上の下降を規制する規制部３０８が設けられている。この規制部３０８は第２可動役物３０２の移動方向（上下方向）に対して直交する平面状に形成されており、この規制部３０８に第２可動役物３０２の下面が当接することによって、当該第２可動役物３０２のそれ以上の下降を規制している。
したがって、第１可動役物３０１が前記上下動駆動手段１０５によって第２可動役物３０２を伴って下降し、第２可動役物３０２の下面が規制部３０８に当接して、第２可動役物お３０２のそれ以上の下降が規制されるが、第１可動役物３０１は上下動駆動手段１０５によって、第２可動役物３０２のレール部３０３に沿ってさらに下降できるようになっている。
【００６７】
また、スライドレール８４の上端部には第１センサ３１１が設けられ、前記部材３０７の上端部には第２センサ３１２が設けられている。第１センサ３１１は、第１可動役物３０１を所定の原点位置（上昇位置）で検出するものである。
また、第２センサ３１２は、規制部３０８によって第２可動役物３０２の下降が規制された場合の第１可動役物３０１を所定位置（下降位置）で検出するものである。
そして、これら第１センサ３１１および第２センサ３１２は上下動駆動手段１０５を構成するモータ（ステッピングモータ）８６の駆動を制御する図示しない制御部に接続されている。
そして、第１可動役物３０１を、原点位置とその下方の所定位置（下降位置）でそれぞれ第１センサ３１１と第２センサ３１２が検出し、その検出信号を制御部に送信することによって、モータ８６の駆動を制御できるようになっている。
【００６８】
また、本実施の形態では、図８および図２２に示すように、第１可動役物３０１の前方に第２可動役物３０２が配置されている。また、第２可動役物３０２内には、ＬＥＤ基板３１４が設けられる一方で、第２可動役物３０２の表面部には複数のレンズ部３０２ａが設けられている。そして、ＬＥＤ基板３１４に設けられた複数のＬＥＤ３１４ａからの光がレンズ部３０２ａに照射され、このレンズ部３０２ａが点灯または点滅するようになっている。
【００６９】
また、第１可動役物３０１は、導光板やレンズ等によって形成されており、その表面には模様が立体的に形成されている。このような第１可動役物３０１は、前記第２の可動役物２０１の演出部２０１ｂが第１可動役物３０１の背面側に位置した場合に、演出によって演出部２０１ｂが点灯または点滅すると、この点灯または点滅する光によって背面側から照らされるようになっている。このようにして、第１可動役物３０１は演出部２０１ｂからの光によって点灯または点滅することで発光演出するようになっている。
【００７０】
次に、第１の可動役物８１の動きについて説明する。
まず、図２３に示す状態が、第１の可動役物８１が上部可動限界位置となる上昇位置に位置している状態である。
この状態では、規制部材１２２に第１当接部９１が当接することによって、第１の可動役物８１が上昇位置で確実に保持される。
【００７１】
この阻止状態から第１の可動役物８１を下降させる場合、上述したように、ソレノイド９４ａをＯＮすることにより、規制部材１２２が時計回りに回転して、非阻止状態となり、ソレノイド９４ａの保持力によって保持される。
【００７２】
次に、図２４に示すように、モータ８６（図８参照）によってベルト８９を正方向に回転せることによって第１の可動役物８１が下降する。このように、第１当接部９１が規制部材１２２に当接している阻止状態から第１の可動役物８１が下降する際は、ソレノイド９４ａによって、規制部材１２２を第１当接部９１の移動経路中から退避させるので、第１の可動役物８１は下降することができる。
第１の可動役物８１が下降したならば、ソレノイド９４ａをＯＦＦとする。これによって、規制部材１２２はバネ９３（図１０参照）の付勢力によって、元の位置に戻る（阻止状態に戻る）。
なお、第１の可動役物８１が下降する際は、第１の可動役物８１のＬＥＤ基板３１４（図２２参照）の表面に設けられたＬＥＤを点灯または点滅させることによって、第１の可動役物８１の表面を点灯または点滅させることができるので、演出効果を高めることができる。
【００７３】
さらに、図２５に示すように、第１の可動役物８１がモータ８６によって所定位置（下降位置）まで下降すると、つまり第１可動役物３０１が第２可動役物３０２を伴って所定位置まで下降すると、第２可動役物３０２が規制部３０８に当接して、第２可動役物３０２のそれ以上の下降を規制する。
その際、前記第２センサ３１２が、第２可動役物３０２の下降が規制された場合の第１可動役物３０１を所定位置（下降位置）で検出して、その検出信号を制御部に送信するので、制御部がさらにモータ８６を駆動するように制御すると、図２６に示すように、第１可動役物３０１は、下降が規制された第２可動役物３０２より下方に移動して、第１可動役物３０１が第２可動役物３０２の下方に出現する。
【００７４】
この際、前記第２の可動役物２０１が下降して第１可動役物３０１の背面側に位置した場合において、演出によって第２の可動役物２０１の演出部２０１ｂが点灯または点滅すると、この点灯または点滅する光によって第１可動役物３０１がその背面側から照らされることによって発光演出される。このように、演出部２０１ｂを点灯または点滅させることによって演出効果を高めることができる。
また、第１可動役物３０１が第２可動役物３０２の下方に出現した状態において、制御部がモータ８６を逆方向に駆動すると、第１可動役物３０１が上昇して第２可動役物３０２の背面側に隠れる。
【００７５】
なお、第２可動役物３０２が規制部３０８に当接して、それ以上の下降を規制された状態において、制御部がモータ８６の駆動を停止するように制御すると、第１の可動役物８１は前記下降位置で停止した状態となる。さらに、同状態において、制御部がモータ８６を逆方向に駆動すると、第１の可動役物８１は上昇していく。
【００７６】
次に、第１の可動役物８１を前記所定の下降位置から所定の上昇位置（原点位置）まで上昇させる場合、モータ８６によってベルト８９を逆方向に回転させることによって、第１可動役物３０１が引き上げられて、当該第１可動役物３０１が上昇していく。そして第１可動役物３０１が第２可動役物３０２の背面側に隠れた位置に来ると、第１可動役物３０１のスライド部材８３に設けられた上側の軸部が第２可動役物３０２のレール部３０３の上端部に当接する。したがって、さらに第１可動役物３０１が上昇すると、これに伴って第２可動役物３０２も上昇する。つまり、第１可動役物３０１と第２可動役物３０２とが完全に重なった状態の第１の可動役物８１が上昇する。
【００７７】
さらに、第１の可動役物８１が上昇すると、第１の可動役物８１に設けられた押圧部９８の傾斜部９８ａが規制部材１２２を抗して移動経路中から退避させる方向に押圧して、規制部材１２２が移動経路中から退避するので、第１の可動役物８１は所定の上昇位置（原点位置）まで上昇することができる。
そして、第１の可動役物８１が上昇して押圧部９８が規制部材１２２から離間することによって、当該規制部材１２２がバネ９３（図１０参照）の付勢力によって、第１当接部９１の移動経路中に進出する。そして、この規制部材１２２に第１当接部９１が当接することによって第１の可動役物８１の下降を阻止して、所定の上昇位置で保持することができる。
【００７８】
このように本実施の形態では、第１可動役物３０１が上下動駆動手段１０５によって第２可動役物３０２を伴って所定位置まで移動すると、第２可動役物３０２が規制部３０８に当接して、当該第２可動役物３０２のそれ以上の下降を規制する。その後、第１可動役物３０１は、第２可動役物３０２を伴わないで、前記所定位置を越えて上下動駆動手段１０５によって下降することがきる。したがって、複数の可動役物（第１可動役物３０１および第２可動役物３０２）が重なった状態で一緒に移動した後、一つの上下動駆動手段１０５によって、一の可動役物（第１の可動役物）３０１をさらに移動させることができるので、演出効果を高めることができる。
【００７９】
また、規制部３０８によって第２可動役物３０２の下降が規制された場合の第１可動役物３０１を第２センサ３１２によって所定位置（下降位置）で検出できるので、この検出信号を上下動駆動手段１０５の制御部に送信して、当該制御部で上下動駆動手段１０５を制御することによって、さらに第１可動役物３０１を所定位置を越えて下降させるのか、その所定位置で停止させるのか、または第１可動役物３０１を所定位置から上昇させるのかを制御できる。
また、第１可動役物３０１が上下動駆動手段１０５によって第２可動役物３０２を伴って原点位置まで上昇してきた際に、当該第１可動役物３０１を第１センサ３１１によって原点位置で検出できるので、この検出信号を上下動駆動手段１０５の制御部に送信して、当該制御部で上下動駆動手段１０５を制御することによって、第１可動役物を原点位置で停止させるのか、または再び原点位置から下降させるのかを制御できる。
さらに、第１センサ３１１と第２センサ３１２によって、第１可動役物３０１を原点位置と所定位置とで検出できるので、この検出信号を上下動駆動手段１０５の制御部に送信して、当該制御部で上下動駆動手段１０５を制御することによって、第１可動役物３０１を原点位置と所定位置との所望の位置で停止させ、さらに上昇または下降させることができる。
したがって、遊技機の演出に応じて第１の可動役物８１の移動を制御でき、演出効果を高めることができる。
【００８０】
さらに、第１可動役物３０１が第２可動役物３０２より下降して出現した場合に、当該第１可動役物３０１の背面側に位置している第２の可動役物２０１の演出部２０１ｂからの光によって第１可動役物３０１を光らせることができる。したがって、演出効果をさらに高めることができる。
【００８１】
なお、本実施の形態では、本発明を第１の可動役物８１が上下動駆動手段によって上下動する場合を例にとって説明したが、本発明は第１の可動役物８１が横方向や斜め方向に移動する場合も適用できる。
【００８２】
次に、第２の可動役物２０１の昇降手段２０３について詳細に説明する。
左右一対の第２の可動役物２０１およびこれら第２の可動役物２０１をそれぞれ昇降する左右一対の昇降手段２０３は、中枠３０ａの左右側部にそれぞれ設けられている。一対ずつの第２の可動役物２０１および昇降手段２０３は、それぞれ左右逆となっている以外は、同様の構造を有するので、以下に、遊技者から向かって右側の第２の可動役物２０１および昇降手段２０３について説明し、同様の構造を有する左側の第２の可動役物２０１および昇降手段２０３についての説明を省略する。
【００８３】
図２７から図３５に示すように、昇降手段２０３は、上下に長いベース部材４０１と、ベース部材４０１に上下方向に沿って設けられて第２の可動役物２０１を上下動（昇降）自在に支持するガイドレール４０２と、上下方向に沿って歯が並んで配置されているラック４０３（図２９〜図３１等に図示）を備えるラック部４０４と、前記ラック４０３に噛み合うラック用歯車４１１を備えてラック４０３を昇降させる歯車昇降機構４１２とを備える。
【００８４】
また、昇降手段２０３は、上述のラック部４０４と、ラック部４０４に対して上下動自在で、一対の動滑車４０５，４０６を回転自在に支持する動滑車支持部４０７（図３２〜図３５等に図示）と、左右一対の動滑車４０５，４０６を含む動滑車機構４４１と、動滑車機構４４１に設けられる紐状部材としてのベルト４０８とを備える。また、ラック部４０４と、動滑車支持部４０７とから昇降部材４０９（図３２〜図３５等に図示）が構成されるとともに、昇降部材４０９には、ラック部４０４と動滑車支持部４０７とを接続するばねであるコイルスプリング４１０（図３３、図３５等に図示）を備える。
【００８５】
なお、図２７から図３１は、主に歯車昇降機構４１２を説明するための図面であり、図３２から図３５は、主に動滑車機構４４１を説明するための図面である。また、図２７、図２９、図３０、図３２、図３３は第２の可動役物２０１が上昇した状態の図であり、図２８、図３１、図３４、図３５は第２の可動役物２０１が下降（落下）した状態の図である。また、図２７〜図３１においては、昇降手段２０３の各部分を覆う複数のカバーを取り外した状態で図示している。また、図３２〜図３４においては、動滑車機構４４１とベルト４０８とを主に図示し、それ以外の部分の図示を省略している。
【００８６】
第２の可動役物２０１は、回転リール２３の外周面に描かれた図柄としての７を模したものであり、回転リール２３の図柄と略同じ大きさとなっている。また、第２の可動役物２０１には、内部にＬＥＤが備えられて発光するようになっている。また、第２の可動役物２０１は、ディスプレイ用窓部５９ａ（窓部５６）より上の上扉３０の外枠３０ｂの上側部から窓部５６の下部であるリール用窓部５９ｂに臨む回転リール２３の上下３段のうちの無効ラインとなる上１段目の部分（上段）まで移動する。
【００８７】
回転リール２３は、左右に３つ並んで設けられており、左回転リール２３、中回転リール２３、右回転リール２３がある。左の第２の可動役物２０１は、停止した左回転リール２３のリール用窓部５９ｂから視認可能な上下３段の図柄のうちの上の図柄と重なる位置まで下降可能となっている。また、右の第２の可動役物２０１は、停止した右回転リール２３のリール用窓部５９ｂから視認可能な上下３段の図柄のうちの上の図柄と重なる位置まで下降可能になっている。
【００８８】
すなわち、第２の可動役物２０１が落下した場合に、左回転リール２３または右回転リール２３の上段の図柄を隠すとともに、隠した図柄に代えて７を表示した状態となる。例えば、左から右の回転リール２３の上段に７、７、リプレイ（７以外の図柄）順で図柄が並んで停止した際に右の第２の可動役物２０１を落下させると、右のリプレイが７を模した第２の可動役物２０１に隠されて７が上段の左、中、右で擬似的に３つ揃った状態となる。なお、第２の可動役物２０１は、左と右の回転リール２３の上段の図柄の位置まで落下するので、斜めに７を擬似的に揃える際にも用いることができる。
【００８９】
歯車昇降機構４１２は、ラック４０３を備えるラック部４０４と、一対の動滑車４０５，４０６を備える動滑車支持部４０７とを有する昇降部材４０９を上昇させて落下させる機構である。歯車昇降機構４１２は、図１８、図２０に図示するモータ２０３ａと、当該モータの駆動軸に設けられた駆動歯車４１４と、当該駆動歯車４１４に噛み合う２段歯車４１６と、２段歯車４１６に噛み合う中間歯車４１７と、中間歯車４１７と噛み合うとともにラック４０３に噛み合うラック用歯車４１１とを備えている。
【００９０】
２段歯車４１６は、駆動歯車４１４と噛み合う大径歯車４１５と、中間歯車４１７と噛み合う小径歯車（図示略）とが同軸上に一体に設けられたものであり、駆動歯車４１４の回転を減速して中間歯車４１７に伝達する。
【００９１】
ラック用歯車４１１は、中間歯車４１７と噛み合う部分とラック４０３に噛み合う部分とが軸方向に前後分けて配置されており、軸方向の前側（遊技機の前後方向の前側）がラック４０３と噛み合い、軸方向の後側（遊技機の前後方向の後側）が中間歯車４１７と噛み合うようになっている。また、ラック用歯車４１１の中間歯車４１７と噛み合う部分には、全周に渡って歯が形成されているのに対して、ラック４０３と噛み合う部分には、外周面に歯が設けられていない部分が円筒面状に設けられている。
【００９２】
例えば、ラック用歯車４１１のラック４０３と噛み合う部分には、歯がなく歯底円に沿った円筒面となっている歯底面４１３がラック用歯車４１１の外周面の１／３程度設けられている。なお、図２８〜図３１においては、歯底面４１３の後側の歯が見えることにより、ラック用歯車４１１の全周に渡って歯が形成されるように見えている。
【００９３】
ラック用歯車４１１では、ラック４０３と噛み合う部分の歯がある部分がラック側に向いている場合には、ラック４０３とラック用歯車４１１が噛み合い、ラック用歯車４１１の歯が無い歯底面４１３がラック４０３と対向する状態では、ラック４０３とラック用歯車４１１の噛み合いが解除されることにより、ラック４０３を有する昇降部材４０９が落下可能になる。
【００９４】
ラック４０３を備えるラック部４０４は、ベース部材４０１に設けられたレールに上下方向に沿って移動自在に支持されている。また、昇降部材４０９の動滑車支持部４０７は、ラック部４０４に上下動自在に支持されている。各歯車４１１，４１４，４１６（４１５），４１７は、ベース部材４０１に設けられた歯車支持部材４１８に回転自在に支持され、モータ２０３ａも歯車支持部材４１８に支持されている。
【００９５】
モータ２０ａは、ステッピングモータであり、入力されるパルスにより回転角度が制御された状態で回転するようになっている。本実施の形態では、モータ２０ａの回転方向は一定となっており、ラック用歯車４１１がラック４０３を上昇させる方向に回転し、その逆方向に回転いないように制御される。
【００９６】
ラック用歯車４１１には、遊技機の前側を向く側面に、ストッパ突部４２１と、噛合用突部４２２が設けられている。ストッパ突部４２１は、ラック用歯車４１１の１つの歯と重なるとともに、当該歯の歯先から歯底より少しだけラック用歯車４１１の中心側の位置まで、前側に突出した状態に設けられている。このストッパ突部４２１は、ラック用歯車４１１の半径方向に沿っている。
【００９７】
また、ラック用歯車４１１の上側には、逆転防止部材４３１が設けられている。逆転防止部材４３１は、歯車支持部材４１８に回転軸４１９を中心として回転自在に支持されている。また、歯車支持部材４１８には、逆転防止部材４３１に設けられたピン４２０が挿入される円弧状の長孔４３３が設けられている。長孔４３３は、回転軸４１９を中心とする円弧状に形成されており、回転軸４１９に支持される逆転防止部材４３１のピン４２０が挿入されることにより、逆転防止部材４３１の回転範囲を規制している。
【００９８】
逆転防止部材４３１は、ラック用歯車４１１より少しだけ前側にあり、逆転防止部材４３１の一部がラック用歯車４１１の歯底円より少し内側に入った第１の角度位置から、逆転防止部材４３１の全体がラック用歯車４１１の歯先円より少し外側に出た第２の角度位置との間を回転移動可能となっている。また、逆転防止部材４３１は、図示しない捩じりばねにより、図３０に示す第２の角度位置から図２９に示す第１の角度位置側に回転する方向に付勢されている。
【００９９】
したがって、逆転防止部材４３１は、通常時は、図２９に示す第１の角度位置に配置されている。ラック用歯車４１１が順方向として図中時計回りに回転するとストッパ突部４２１が第１の角度位置にある逆転防止部材４３１に係合し、逆転防止部材４３１を第２の角度位置側に押し出す状態となる。さらに、ラック用歯車４１１が回転すると、逆転防止部材４３１との係合が外れ、逆転防止部材４３１は、第１の角度位置に戻る。この場合に、第１の角度位置の逆転防止部材４３１を越えた位置にストッパ突部４２１が配置される。この状態は、基本的にラック用歯車４１１によりラック４０３が最も上に移動した状態となり、ラック用歯車４１１が停止する。この場合に、ラック用歯車４１１が昇降部材４０９や第２の可動役物２０１の荷重により逆転しそうになると（反時計回りに回転開始すると）、ストッパ突部４２１が逆転防止部材４３１に当たり、ラック用歯車４１１の逆転が阻止される。
【０１００】
また、ラック用歯車４１１の前側の側面の噛合用突部４２２は、ストッパ突部４２１と同様に、ラック用歯車４１１の１つの歯と重なるとともに、当該歯の歯先から歯底より少しだけラック用歯車４１１の中心側の位置まで、前側に突出した状態に設けられている。この噛合用突部４２２は、ラック用歯車４１１の半径方向に沿っている。
【０１０１】
ラック４０３（ラック部４０４）は、ラック用歯車４１１との噛み合いが外れて落下した際に所定位置のストッパ（図示略）で下方への移動が規制され、この下方への移動が規制されたラック４０３の位置が図３１に示すラック４０３が落下した位置である。この位置において、ラック４０３の歯と、ラック用歯車４１１との噛み合いが解除されている。この状態で、ラック用歯車４１１を順方向に回転すると、ラック４０３の上端部の歯に噛み合う位置に歯の無い歯底面４１３に隣接する歯が至ることになるが、この状態でラック４０３の歯と、ラック用歯車４１１の歯が噛み合うことが難しい。そこで、ラック４０３の右側から右に突出する係合突起４３５をラック４０３の前側に設けている。また、ラック用歯車４１１の歯底面４１３に隣接する歯の位置に、上述の噛合用突部４２２を設けている。
【０１０２】
ラック４０３を落下させた後に、ラック用歯車４１１を順方向に回転させると、噛合用突部４２２がラック４０３の上端部に設けられた係合突起４３５に接触するとともに、係合突起４３５を押し上げる。この際に、噛合用突部４２２の位置にあるラック用歯車４１１の歯とそれに続く歯が、ラック４０３の歯に噛み合うことになり、ラック用歯車４１１の回転によりラック４０３が押し上げられることになる。
【０１０３】
次に、動滑車機構４４１について説明する。
動滑車機構４４１は、上述の動滑車支持部４０７と、動滑車支持部４０７に回転自在に設けられた一対の動滑車４０５，４０６と、ベース部材４０１の下部に固定的に配置されて回転自在な定滑車４４２とを備える、また、一対の動滑車４０５，４０６および定滑車４４２とには、ベルト４０８が巻かれた状態となっている。
動滑車支持部４０７は、その上端部に一対の動滑車４０５，４０６が遊技機の前後方向に間隔をあけて並んで設けられている。後述のベルト４０８の第２の可動役物２０１に接続される一方の端部（可動端４４４）側が巻かれる後側の動滑車４０５は、ベルト４０８の他方の端部（固定端４４５）側が巻かれる前側の動滑車４０６より少し高い位置に設けられている。
【０１０４】
定滑車４４２は、一対の動滑車４０５，４０６より下方で、一対の動滑車４０５，４０６の間の位置に設けられている。ベルト４０８は、その可動端４４４から上に向かって後側の動滑車４０５の上側に掛けられた後に下方に向かい定滑車４４２の下側に掛けられている。定滑車４４２の下側に掛けられたベルト４０８は上側に向かって前側の動滑車４０６の上側に掛けられる。動滑車４０６の上側に掛けられたベルト４０８は、下側に向かって延出している。このベルト４０８の先端部は、固定端４４５としてベース部材４０１に固定されている。なお、図３４および図３５において、ベルト４０８の固定端４４５にはベース部材４０１に当該固定端４４５を固定する固定部材４４７を図示し、ベルト４０８の可動端４４４には第２の可動役物２０１を接続する接続部材４４８を図示している。
【０１０５】
動滑車支持部４０７は板状であり、ラック４０３を有する板状のラック部４０４と動滑車支持部４０７とは、重なった状態に配置されている。図３２および図３４に示すように、動滑車支持部４０７のラック部４０４に略重なる部分には、上下一対の長孔４５０が設けられている。これらの長孔４５０には、それぞれラック部４０４に設けられた上下一対の挿入ピン４５１が挿入されている。これにより動滑車支持部４０７とラック部４０４とは、長孔４５０の長さの範囲で相対的に上下動可能となっている。
【０１０６】
また、図３３および図３５に示すように、動滑車支持部４０７と、ラック部４０４とは、伸縮するばねとしてのコイルスプリング４１０で接続されている。ラック部４０４は、落下した際にストッパで上下位置が決められ、上昇中および落下前の位置（原点位置）にあるときには、ラック用歯車４１１との噛み合いにより上下位置が規制されている。それに対して、動滑車支持部４０７はラック用歯車４１１にコイルスプリング４１０で吊られた状態で上下位置が決められている。これらのようなラック部４０４と動滑車支持部４０７とから上述のように昇降部材４０９が構成されている。したがって、基本的に動滑車支持部４０７は、ラック部４０４の昇降移動にしたがって昇降移動するが、コイルスプリング４１０の伸縮によりラック部４０４に対して上下に変位可能になっている。これらのようなラック部４０４と動滑車支持部４０７とから上述のように昇降部材４０９が構成されている。
【０１０７】
動滑車機構４４１とベルト４０８とにより、ラック４０３の移動距離、すなわち、動滑車４０５，４０６の移動距離に対して、ベルト４０８に接続された第２の可動役物２０１は、略４倍の移動距離を有することになる。
第２の可動役物２０１の上下の移動範囲内にラック４０３の上下の移動範囲が含まれるようにラック４０３が配置されている。また、図２７および図２８に示すように、ベース部材４０１の上端部には、第２の可動役物２０１が原点位置に移動したことを検知するフォトセンサ４５５が設けられている。
【０１０８】
このようなスロットマシンＭの昇降手段２０３においては、第２の可動役物２０１が原点位置としての上扉３０の窓部５６の上側縁より少し上側の位置から停止した左右の回転リール２３のリール用窓部５９ｂを介して視認可能な図柄のうちの上段の図柄位置まで自然落下に近い状態で落下させることができるとともに、原点位置まで第２の可動役物２０１を上昇させて戻せるようになっている。
【０１０９】
図２７に示すように、第２の可動役物２０１が最も高い位置より僅かに下側となる原点位置にある状態では、図２９および図３０に示すようにラック４０３の下端部の歯に、ラック用歯車４１１の歯が欠けた部分である歯底面４１３の回転方向先側の歯が噛み合った状態となっている。また、この際に第２の可動役物２０１は、フォトセンサ４５５に検知された状態となっている。
【０１１０】
また、第２の可動役物２０１が原点位置にある状態では、図２９に示すように、ラック用歯車４１１の上端部の前側に逆転防止部材４３１が重なった状態となっているとともに、この逆転防止部材４３１のラック用歯車４１１の回転方向の先側（図中右側）に、ラック用歯車４１１のストッパ突部４２１が配置され、ラック用歯車４１１の逆転が防止されている。これにより昇降部材４０９や第２の可動役物２０１の荷重によりラック用歯車４１１等が逆転して第２の可動役物２０１が降下するのが防止されている。
【０１１１】
次に、モータ２０３ａを回転させることにより、歯車昇降機構４１２の各歯車４１４，４１６（４１５），４１７を介してラック用歯車４１１を順方向に回転させると、ラック４０３がラック用歯車４１１の回転により少しだけ押し上げられた後に、ラック４０３の下端の歯と、ラック用歯車４１１の歯底面４１３に隣接する歯との噛み合いが解除され、ラック用歯車４１１の歯の欠落部である歯底面４１３とラック４０３の歯が対向した状態となる。この状態でラック４０３は、ラック用歯車４１１による支持を失い略自然落下に近い状態で落下する。
【０１１２】
ラック４０３と、当該ラック４０３を備えるラック部４０４の落下距離は図示しないストッパにより制限されており、ラック４０３に上下に並んで設けられた歯のうちの一番上の歯から一番下の歯までの距離に略等しい距離だけ落下するようになっている。また、ラック４０３を備えるラック部４０４が落下を開始する際には、ラック部４０４にコイルスプリング４１０を介して動滑車支持部４０７および第２の可動役物２０１の荷重がかかった状態となっている。これによりコイルスプリング４１０は、荷重に対応して延びた状態となっており、ラック部４０４を下方に引っ張った状態となっている。したがって、ラック４０３がラック用歯車４１１による支持を失った際に、ラック４０３を備えるラック部４０４の自重と、コイルスプリング４１０の付勢力とにより、落下が開始されることになり、ラック部４０４の落下開始を円滑にすることができる。
【０１１３】
この際に、ラック４０３を備えるラック部４０４が落下する際には、ラック部４０４にコイルスプリング４１０で接続された動滑車支持部４０７も落下することになる。２つの動滑車４０５，４０６が落下すると、動滑車機構４４１によりベルト４０８の第２の可動役物２０１が接続された可動端４４４は、動滑車４０５，４０６の下降距離、すなわち、ラック４０３の下降距離に対して約４倍の下降距離を下降することになる。これにより、第２の可動役物２０１は、窓部５６（ディスプレイ用窓部５９ａ）より上からリール用窓部５９ｂの回転リール２３の上段の図柄に重なる位置まで落下することになる。
【０１１４】
この際に第２の可動役物２０１の落下が終了する際に、ベルト４０８に衝撃力が作用する。ベルト４０８に繰り返し衝撃力が作用するとベルト４０８が傷む虞があるが、ベルト４０８の可動端４４４側に下側への引っ張り力が作用した場合に、動滑車４０５を介して動滑車支持部４０７が下に引っ張られてコイルスプリング４１０が伸びることにより衝撃力の一部が吸収される。これによりベルト４０８の寿命を延ばすことができる。
【０１１５】
図２８、図３１に示すように第２の可動役物２０１は、落下により最も低い位置に配置され、上述のように左または右の回転リール２３の上段に停止した図柄の前に７図柄を模した第２の可動役物２０１が配置されて、７図柄が擬似的に３つ揃った状態となる。なお、斜めのＸ状に配置される２ラインに、７図柄が擬似的に揃った状態としてもよい。
【０１１６】
この際に、遊技者はスロットマシンＭの遊技で、７図柄がリーチ状態になったにも関わらずに、７図柄が３つ揃わず、落胆した際に、７図柄を模した第２の可動役物２０１が加速しながら落下して、７図柄が３つ並んだ状態となったことに、驚くことになる。特に、自然落下に近い状態で７図柄を模した第２の可動役物２０１が高速で落ちてきたことに衝撃を受けることになる。また、このような第２の可動役物２０１による演出が行われたことに基づいて遊技者は遊技での遊技媒体の大量獲得の可能性に大きな期待を抱くことになる。
【０１１７】
この状態で再びラック用歯車４１１を順方向に回転させると、図３１に示すように、ラック用歯車４１１の歯底面４１３の回転方向後側の歯がラック４０３の上端の歯に近づくことになる。
この際に、ラック４０３の上端部の歯の位置に対応して設けられた係合突起４３５にラック用歯車４１１の噛合用突部４２２が接触するとともに、係合突起４３５を噛合用突部４２２が少しだけ上昇させる。この際にラック４０３の上端の歯と、ラック用歯車４１１の歯底面４１３の回転方向後側に隣接して設けられた歯とが噛み合うことになる。これにより噛み合いが一度外れた状態のラック４０３とラック用歯車４１１とを再び、円滑に噛み合わせることが可能になる。
【０１１８】
ラック用歯車４１１をそのまま順方向に回転させることにより、ラック４０３が上昇し、それに基づいて動滑車４０５，４０６が上昇する。これによりベルト４０８の可動端４４４に接続された第２の可動役物２０１が上昇することになる。この際には、第２の可動役物２０１がラック４０３の上昇距離の約４倍の距離をラック４０３が原点位置に戻るまでの時間で移動することになる。すなわち、ラック４０３の昇降速度の約４倍の昇降速度で第２の可動役物２０１を上昇させることができるので、第２の可動役物２０１を高速で上昇させることが可能になり、原点位置に戻る第２の可動役物２０１が遊技者にとって邪魔になるのを防止することができる。
【０１１９】
また、図３０に示すように、ラック４０３が原点位置に戻る際に、回転するラック用歯車４１１のストッパ突部４２１が逆転防止部材４３１をラック用歯車４１１の外側に押し出した後に、ねじりばねにより復帰する逆転防止部材４３１に隣接して配置され、逆転防止部材４３１とストッパ突部４２１とによりラック用歯車４１１の逆転が防止された状態となる。なお、ラック用歯車４１１が回転する際に噛合用突部４２２も逆転防止部材４３１をラック用歯車４１１の外側に押し出して、逆転防止部材４３１を通過する。
【０１２０】
第２の可動役物２０１が原点位置に戻ると、フォトセンサ４５５が第２の可動役物２０１を検知することになる。なお、第２の可動役物２０１の昇降の制御は、ステッピングモータであるモータ２０３ａの回転角度の制御で行われるが、設定角度だけモータ２０３ａを回転させてもフォトセンサ４５５が第２の可動役物２０１を検知しない場合に、さらにモータ２０３ａを回転させるようにしてもよい。但し、ラック用歯車４１１を順方向に回転させ過ぎると、ラック４０３とラック用歯車４１１の噛み合いが外れてしまうので、モータ２０３ａの回転には限度がある。
【０１２１】
このような昇降手段２０３にあっては、第２の可動役物２０１を長い距離に渡って自然落下に近い状態で降下させることができるとともに、迅速に上昇させることが可能になる。これにより、遊技者に対して第２の可動役物２０１を用いた迫力のある演出を見せることが可能になる。また、自然落下に近い状態でベルト４０８に繋がれた第２の可動役物２０１を落下させてもベルト４０８にかかる衝撃力を緩和することができる。
【０１２２】
なお、動滑車４０５，４０６は、２つに限られるものではなく、１つであっても、３つ以上であってもよい。また、昇降部材４０９においてラック４０３を有するラック部４０４と動滑車４０５，４０６を支持する動滑車支持部４０７とを別体として、コイルスプリング４１０で接続するものとしたが、ラック部４０４と動滑車支持部４０７とを一体とした昇降部材４０９を設けるものとしてもよい。
【０１２３】
また、本実施の形態では、図３および図３６に示すように、上扉３０の前面に、遊技機の前面右側を装飾する装飾部材５００が設けられている。この装飾部材５００は人形のフィギュアを模した立体的な形状となっており、ユニット化されて、上扉３０の前面右側に取り付けられるようになっている。
この装飾部材５００は、図３７に示すように、基台部５０１とこの基台部５０１に設けられたフィギュア部５０２とから構成されている。
基台部５０１は、図３８に示すように、内側（遊技機の前面側）を向く面が開口した略箱状に形成されており、その内部にはＬＥＤ基板５０３が設けられ、このＬＥＤ基板５０３は図示しない制御基板に接続されるようになっている。なお、制御基板は前記中枠３０ａに設けられている。
また、基台部５０１の内部には、ＬＥＤ基板５０３の前側にインナーレンズ５０５が設けられている。そして、ＬＥＤ基板５０３に設けられたＬＥＤからの光がインナーレンズ５０５に照射され、図３７に示すように、このインナーレンズ５０５からの光が基台部５０１に設けられた複数の孔５０１ｂや開口部５０１ｃを通してフィギュア部５０２を背面側から照らすようになっている。
【０１２４】
また、基台部５０１の下部には表示基板５０４が設けられている。この表示基板５０４は、ＬＥＤ、７セグメントの表示部を備えており、メダルのクレジット数、１回の遊技におけるメダルの払出数あるいは獲得数、ボーナス状態でのメダルの払出数の合計あるいは獲得数の合計等の各種遊技情報が表示されるようになっている。この表示は、図３６に示すように、基台部５０１の表面下部に設けられたレンズ５０４ａを通して遊技者が目視によって認識できるようになっている。
このように、本実施の形態では、表示基板５０４を装飾部５００の基台部５０１に設けたので、従来のように表示基板を中枠側に設ける場合に比して、遊技者の近くに表示基板５０４が位置することになる。したがって、表示基板５０４に表示される各種遊技情報を容易に認識することができる。
【０１２５】
前記フィギュア部５０２は、図３９に示すように、フィギュアの胴体を構成する本体部５０６を有している。
この本体部５０６には、静電容量式タッチセンサ５１０が設けられている。この静電容量式タッチセンサ５１０は、図４０および図４１に示すように、遊技者が接触可能なタッチセンサ操作部５１１と、このタッチセンサ操作部５１１に電気的に接続されたセンサ本体５１２を有している。
【０１２６】
タッチセンサ操作部５１１は、平面的にサイコロを模したプレート状に形成されており、その表面および裏面には金属メッキ層が形成されている。また、タッチセンサ操作部５１１の裏側には、図４２に示すように、レンズ部５１３が設けられている。このレンズ部５１３は、板状のプレート５１３ｂの表面に複数円柱部５１３ａを立設したものとなっている。
また、タッチセンサ操作部５１１には、図４１および図４２に示すように、複数の円形状の孔５１１ａがサイコロの目を模した形態で形成されており、この孔５１１ａにレンズ部５１３の円柱部５１３ａの先端面が露出している。したがって、前記ＬＥＤからの光がインナーレンズ５０５を通してレンズ部５１３に照射された場合に、円柱部５１３ａを含むレンズ部５１３が点灯または点滅するようになっている。また、円柱部５１３ａの先端面が点灯または点滅すると、この点滅または点灯をタッチセンサ操作部５１１の孔５１１ａを通して、遊技者が認識できるようになっている。
【０１２７】
また、タッチセンサ操作部５１１の周囲は、図４０〜図４３に示すように、絶縁部５１５で囲繞されている。この絶縁部５１５は絶縁性を有する樹脂によって形成されている。絶縁部５１５は、図４４に示すように、筒状に形成された外周部５１５ａと、この外周部５１５ａの内側に設けられた中板５１５ｂと備えている。中板５１５ｂは外周部５１５ａの先端縁より所定の距離だけ窪んだ位置に形成されており、この中板５１５ｂにタッチセンサ操作部５１１の下面が設置され、外周部５１５ａの内周面にタッチセンサ操作部５１１の側面が当接されている。これによって、タッチセンサ操作部５１１はその周囲が絶縁部５１５によって囲繞されている。なお、中板５１５ｂには、タッチセンサ操作部５１１の孔５１１ａに対応して孔５１５ｃが形成されており、この孔５１５ｃに、中板５１５ｂの裏面側に設けられたレンズ部５１３の円柱部５１３ａが挿通され、この円柱部５１３ａが孔５１１ａに露出している（図４１参照）。
【０１２８】
また、タッチセンサ操作部５１１とセンサ本体５１２とは通電可能な接続部５１７によって電気的に接続されている。
すなわち、図３９および図４０に示すように、接続部５１７は、センサ本体５１２に接続されたジョイント部材５１７ａと、このジョイント部材５１７ａに挿通されるビス５１７ｂと、このビス５１７ｂがねじ込まれる接続柱５１７ｃとから構成されており、接続柱５１７ｃはタッチセンサ操作部５１１の裏面に設けられ、タッチセンサ操作部５１１の金属メッキ層と電気的に接続されている。
そして、ジョイント部材５１７ａ、ビス５１７ｂ、接続柱５１７ｃは電気的に導通しており、これによって、タッチセンサ操作部５１１に触れた遊技者の手からの静電気を接続柱５１７ｃ、ビス５１７ｂ、ジョイント部材５１７ａを通してセンサ本体５１２に流すようになっている。また、ジョイント部材５１７ａは、図３９に示すように、ビス５１７ｂによって本体部５０６に形成された固定部５０６ａに固定されている。つまり、ビス５１７ｂは接続部５１７の一部を構成するとともに、ジョイント部材５１７ａを本体部５０６固定する機能を有している。
なお、センサ本体５１２はジョイント部材５１７ａの保持部５１７ｄに保持され、ビス５１８によって保持部５１７ｄに固定されるとともに、本体部５０６に形成された固定部５０６ｂにビス５１９によって固定されている。
【０１２９】
また、タッチセンサ操作部５１１の裏側には、図４０および図４３に示すように、振動手段としての振動モータ５２０が設けられている。振動モータ５２０は、モータの駆動軸に重りを偏心させて取り付けたものであり、駆動軸を回転させて重りを回転させることによって、振動するようになっている。
振動モータ５２０はタッチセンサ操作部５１１の裏側に設けられるとともに、絶縁部５１５の裏側の凹所に組み込まれている。つまり、振動モータ５２０はタッチセンサ操作部５１１の裏側に、絶縁部５１５の中板５１５ｂを挟んで設けられている。
また、振動モータ５２０にはカバー５２１が被せられ、このカバー５２１は絶縁部５１５にビス５２２によって固定され、これによって、振動モータ５２０は絶縁部５１５に固定されている。
【０１３０】
また、前記ジョイント部材５１７ａは、図４０に示すように、振動モータ５２０から離間する方向に延びており、このジョイント部材５１ａの先端部の保持部５１７ｄは、絶縁部５１５の外側に位置している。そして、この保持部５１７ｄにセンサ本体５１２が取り付けられている。これによって、センサ本体５１２は振動モータ５２０および絶縁部５１５から離間して、絶縁部５１５の外側に設けられており、振動モータ５２０の振動が直接伝わることがないようになっている。振動モータ２０の振動は絶縁部５１５を介して、本体部５０６等に分散されて伝達され、センサ本体５１２には殆ど伝わらないようになっている。
【０１３１】
また、振動モータ５２０は絶縁部５１５の中板５１５ｂに当接しており、この中板５１５ｂにタッチセンサ操作部５１１が当接しているので、振動モータ５２０が振動すると、この振動が絶縁部５１５を介してタッチセンサ操作部５１１に伝えられるようになっている。そして、この振動はタッチセンサ操作部５１１にタッチ（接触）している遊技者の手に伝えられるようになっている。
【０１３２】
また、振動モータ５２０はタッチセンサ操作部５１１に遊技者の手が触れたことをセンサ本体５１２が検知すると、この検知信号によって作動するようになっている。つまり、振動モータ５２０とセンサ本体５１２とは図示しない制御部に接続されており、タッチセンサ操作部５１１に遊技者の手が触れると、これをセンサ本体５１２が検知し、制御部によって振動モータ５１２がＯＮとなって作動し、手が離れるとＯＦＦとなって停止するようになっている。
遊技者には、遊技の演出によって、液晶表示装置としてのディスプレイ５５（図５に図示）から、タッチセンサ操作部５１１にタッチするような指示がなされ、この指示に基づいて、遊技者がタッチセンサ操作部５１１にタッチ（接触）すると、これをセンサ本体５１２が検知し、振動モータ５２０が振動するようになっている。
【０１３３】
本実施の形態によれば、静電容量式タッチセンサ５１０のタッチセンサ操作部５１１の周囲が絶縁部５１５で囲繞されているので、この絶縁部５１５によってタッチセンサ操作部５１１に周囲から予期しない電気が流れるのを阻止できるとともに、絶縁部５１５によってタッチセンサ操作部５１５の静電容量を制限できるので、遊技者の手からタッチセンサ操作部５１１を介して過量の静電気がセンサ本体５１２に流れるのを防止できる。したがって、センサ本体５１２の誤検出を防止できる。
【０１３４】
また、タッチセンサ操作部５１１の裏側に振動モータ５２０が設けられ、タッチセンサ操作部５１１から離間してセンサ本体５１２が設けられているので、演出の際に振動モータ５２０が振動しても、センサ本体５１２は振動モータ５２０の振動によって影響を受け難くなり、センサ本体５１２に不具合が生じる虞がなくなる。
また、タッチセンサ操作部５１１とセンサ本体５１２とが通電可能な接続部５１７によって電気的に接続されているので、タッチセンサ操作部５１１へのタッチ操作（接触操作）によってセンサ本体５１２が確実に作動する。
【符号の説明】
【０１３５】
Ｍ  スロットマシン（遊技機）
３０ａ  バリアユニット（遊技盤）
３０ｃ  表面
２０１  可動役物
２０１ａ  可動部
２０１ｂ  演出部
２０１ｃ  薄肉部
４０３  ラック
４０４  ラック部
４０５  動滑車
４０６  動滑車
４０７  動滑車支持部
４０８  ベルト（紐状部材）
４０９  昇降部材
４１０  コイルスプリング（ばね）
４１１  ラック用歯車（歯車）
４４１  動滑車機構
５１０  静電容量式タッチセンサ
５１１  タッチセンサ操作部
５１２  センサ本体
５１５  絶縁部
５１７  接続部
５２０  振動モータ（振動手段）
【図１】
2016106845.tif 000003
【図２】
2016106845.tif 000004
【図３】
2016106845.tif 000005
【図４】
2016106845.tif 000006
【図５】
2016106845.tif 000007
【図６】
2016106845.tif 000008
【図７】
2016106845.tif 000009
【図８】
2016106845.tif 000010
【図９】
2016106845.tif 000011
【図１０】
2016106845.tif 000012
【図１１】
2016106845.tif 000013
【図１２】
2016106845.tif 000014
【図１３】
2016106845.tif 000015
【図１４】
2016106845.tif 000016
【図１５】
2016106845.tif 000017
【図１６】
2016106845.tif 000018
【図１７】
2016106845.tif 000019
【図１８】
2016106845.tif 000020
【図１９】
2016106845.tif 000021
【図２０】
2016106845.tif 000022
【図２１】
2016106845.tif 000023
【図２２】
2016106845.tif 000024
【図２３】
2016106845.tif 000025
【図２４】
2016106845.tif 000026
【図２５】
2016106845.tif 000027
【図２６】
2016106845.tif 000028
【図２７】
2016106845.tif 000029
【図２８】
2016106845.tif 000030
【図２９】
2016106845.tif 000031
【図３０】
2016106845.tif 000032
【図３１】
2016106845.tif 000033
【図３２】
2016106845.tif 000034
【図３３】
2016106845.tif 000035
【図３４】
2016106845.tif 000036
【図３５】
2016106845.tif 000037
【図３６】
2016106845.tif 000038
【図３７】
2016106845.tif 000039
【図３８】
2016106845.tif 000040
【図３９】
2016106845.tif 000041
【図４０】
2016106845.tif 000042
【図４１】
2016106845.tif 000043
【図４２】
2016106845.tif 000044
【図４３】
2016106845.tif 000045
【図４４】
2016106845.tif 000046